(57)【特許請求の範囲】
【請求項１】
潤滑油の貯留部と、その貯留部の潤滑油を吸い揚げるポンプ機能を有する中空軸状の回転軸と、その回転軸の回転駆動手段を備え、中空内にある潤滑油がその回転軸の回転による遠心力により中空内を吸い揚げられる回転機械であって、前記貯留部における潤滑油が回転軸周囲に接触しないよう回転軸を包囲する包囲筒と包囲筒内にて回転軸の中空開口部に挿入され貯留部の潤滑油を供給するノズルとを備え、前記回転軸と包囲筒との間に設けられたすき間が一方側で前記回転軸とノズルとの間に設けられたすき間と連通するとともに、他方側で前記貯留部空間に開放され、これらすき間には潤滑油が満たされるよう構成されたことを特徴とする回転機械。
【発明の詳細な説明】
【０００１】
【発明の属する技術分野】
本発明は、回転軸が高速で回転駆動されるターボ機械等の回転機械であって、特に軸受けに潤滑油を強制的に供給する機械に関する。
【０００２】
【従来の技術】
各種回転機械において回転軸の軸受けに潤滑油を供給する場合、歯車ポンプ等を連動させることにより潤滑油を貯留部から油通路を通って潤滑箇所まで導き、潤滑後に貯留部に環流するのが一般的手法である。しかしながら、小型の高速ターボ機械等においては、部品点数の削減や軽量化を図る観点から歯車ポンプ等を省略して、軸心部を中空とした回転軸を用い高速回転をする軸の中に潤滑油を導き入れ、回転に伴う遠心力で圧力を発生させて潤滑油を移送させる自給式の軸受け潤滑機構を採用することがしばしば行われる。そして、このような場合に、回転軸の軸下端部に自己吸い揚げポンプが付帯して設けられる。このポンプは、軸心部が中空であるポンプ本体を、中空の回転軸の軸下端部に一体回転可能に取り付け、一部を潤滑油の油溜まりに浸漬した状態で配設し、その潤滑油の粘性を利用して潤滑油を吸い上げ、回転軸の中空部に送り込む構成で、そのポンプ本体は、外周が単純な円筒形乃至は上方に向かって漸次直径の大きくなる円錐形をなしている。
【０００３】
【発明が解決しようとする課題】
ところが、このような形状のポンプ本体においては、ポンプ本体の回転によりポンプ周囲の潤滑油が外周面に引きずられて旋回運動を行い渦流れが生じてしまう。この渦流れ、特にポンプの下部に発生する渦流れはポンプが潤滑油を吸い上げるのを妨げ、結果として遠心力を利用したポンプだけでは潤滑に必要な油量を十分に吸い上げることが困難となる。吸い上げる油量を増加させるためにはポンプの中空部分の口径を大きくすることが必要となるが、口径を大きくすることにも限界がある。またこのような渦流れは回転軸に不必要な負荷として作用し、回転機械の稼働効率を低下させる原因となる。
本発明はこの様な問題点に鑑みてなされたもので、潤滑に必要な油量を安定的に供給するようにした回転機械を提供することを目的とする。
【０００４】
【課題を解決するための手段】
上記の問題を解決するために、本発明は、潤滑油の貯留部と、その貯留部の潤滑油を吸い揚げるポンプ機能を有する中空軸状の回転軸と、その回転軸の回転駆動手段を備え、中空内にある潤滑油がその回転軸の回転による遠心力により中空内を吸い揚げられる回転機械であって、前記貯留部における潤滑油が回転軸周囲に接触しないよう回転軸を包囲する包囲筒と包囲筒内にて回転軸の中空開口部に挿入され貯留部の潤滑油を供給するノズルとを備え、前記回転軸と包囲筒との間に設けられたすき間が一方側で前記回転軸とノズルとの間に設けられたすき間と連通するとともに、他方側で前記貯留部空間に開放され、これらすき間には潤滑油が満たされるよう構成されたことを特徴とする。
【０００５】
【発明の実施形態】
以下、本発明の一実施形態を、図面を参照して説明する。
【０００６】
この実施例は、回転機械の例として、高速ターボ機械の一種であるターボブロアを例示している。このターボブロアは、図１に示すように、回転軸３の上部に接続されている回転部材である翼部２を高速回転させることによりガスの圧送等を行うものである。そして、この回転軸３は上下に２組の転がり軸受け７、８により保持され、モータ１により駆動される。回転軸３の軸心部を中空としてこの中空部を油通路９として利用する。回転軸の下端には回転軸型ポンプ４が設けられ、潤滑油の貯留部５から吸い上げた潤滑油を遠心力により油通路９に導き、転がり軸受け７、８に供給し、しかる後に重力により落下して貯留部５に環流する自給式の軸受け潤滑機構を構成している。
【０００７】
回転軸型ポンプ４の下端には図２に示すように、貯留部５における潤滑油の液面より下方に位置するようにノズル６が取り付けられている。また、回転軸型ポンプ４の潤滑油液面より下の部分には包囲筒１１が設置されている。回転する回転軸型ポンプ４と静止しているノズル６との間にはすき間１０が設けられ、同様に回転軸型ポンプ４と静止している包囲筒との間にはすき間１２が設けられている。
【０００８】
このような構成において、回転軸３に駆動力が付与され、該回転軸３が高速回転を始めると、回転軸３の軸下端部に取り付けられた回転軸型ポンプ４も一体回転する。この時、包囲筒１１およびポンプの下端に設けたノズル６の存在により、回転運動をする回転軸型ポンプ４は潤滑油とすき間１０およびすき間１２においてのみで接触することとなり、実質上貯留部５における潤滑油は回転軸型ポンプ４の回転運動の影響を受けることはなく、潤滑油に発生する渦を小さく、あるいは無くすことが可能となる。この結果、渦によって潤滑油の供給量が制限されるという問題は解決される。潤滑油は貯留部５の油面とノズル６との高低差により生じる静圧力によりノズル６を通って回転軸型ポンプ４に供給されることができる。回転軸型ポンプ４において潤滑油はその粘性のため回転方向に引きずられて回転運動を始め、回転に伴う遠心力が潤滑油に働く。この遠心力の円錐母線方向の成分が潤滑油に働く重力の円錐母線方向の成分にうち勝つような状況において、潤滑油は回転軸型ポンプ４中を上昇し油通路９に導かれ、自己吸い上げ式ポンプとしての機能を発揮する。そして、潤滑油は油通路９の内壁に沿って上昇し軸受け７、８に供給される。この時、すき間１０および１２には潤滑油が満たされており、さらにノズル６および包囲筒１１に潤滑性のある材質を使用することにより、回転軸型ポンプ４の軸外周部および底面が包囲筒１１およびノズル６にふれても支障をきたすことはなく、すき間１０、１２を最小限に設定できる。これにより回転軸型ポンプ４の回転運動が潤滑油におよぼす影響をより小さくすることが可能となる。また、貯留部５の油面とノズル６との高低差を一定にすることにより、油通路９に供給される潤滑油の量を一定とすることができ、機器の信頼性を向上できる。さらに、貯留部５の油面とノズル６との高低差を調整すること、およびノズル６の口径を調整することにより、油通路９に供給される潤滑油の量を容易にコントロールすることが可能である。また、回転軸型ポンプ４の回転により発生する渦を小さくすることにより、あるいは無くすことにより潤滑油に無駄な掻き回しが無くなるので、回転軸３に不必要な負荷が作用することが無く、駆動力節約による回転機械の稼働効率の改善も同時に図れる。
【０００９】
なお、本発明は上記実施形態に限定されるものではない。例えば、本発明はターボブロアの場合に限らず、強制潤滑を用いる転がり軸受けを採用する回転機器であれば、ターボ分子ポンプ等あらゆる機械に適用できる。
【００１０】
【発明の効果】
本発明の回転機械は、以上説明したように、自己吸い上げ式ポンプのポンプ本体の周囲に包囲筒を設け、さらに下部にノズルを設けることにより、ポンプ本体の回転による潤滑油の渦流れの発生を小さく、あるいは無くすことができ、潤滑油供給量に対する渦流れの影響を小さく、あるいは無くすことができる。その結果、潤滑油の油面とノズルとの高低差により発生する静圧力を利用し、ポンプの口径を大きくすることなく一定量の潤滑油を安定して供給することができる。さらに、ノズルの位置を調節することにより発生する静圧力の大きさを変えることができ、供給する潤滑油量を容易に調整することが可能である。また、ポンプ本体の周囲を包囲筒およびノズルにより囲むことで、潤滑油の無駄な掻き回しによる回転軸に対する負荷を無くし、駆動力の節約を図り回転機械の稼働効率を向上させるという効果を同時にもたらす。
【図面の簡単な説明】
【図１】本発明の一実施例を示す縦断面図。
【図２】図１の要部を示す拡大縦断面図。
【符号の説明】
１…モーター
２…翼部
３…回転軸
４…回転軸型ポンプ
５…貯留部
６…ノズル
７、８…転がり軸受け
９…油通路
１０、１２…すき間
１１…包囲筒
【図１】
0003785856.tif 000002
【図２】
0003785856.tif 000003